(57)【特許請求の範囲】
【請求項１】
農業分野において使用され、発信装置が、電波を連続的または断続的に可聴周波数帯の音声信号で変調した電波を送れるようにした無線送信機と、無線送信機の出力部分に疑似負荷（ダミーロード）の発信部とを備え、この発信部を容器に入れた水またはミネラル含有水、溶液等に浸漬して音声信号で変調した電波を発信部から液体に付与することにより種々の希釈度の液体を作成するための装置であって、電波の周波数が、２０〜３５メガヘルツからなり、可聴周波数帯の音声信号が、打楽器の周期的な波長のものからなることを特徴とする液体に電波を付与する装置。
【発明の詳細な説明】
【０００１】
【発明の属する技術分野】
この発明は、農業その他の分野において使用される、いわゆる波動を転写された種々の希釈度の液体を作成するための液体に電波を付与する装置を提供しようとするものである。
【０００２】
【従来の技術】
従来、農業その他の分野においては、いわゆる波動を転写された種々の希釈度の液体が使用されている。ところでこの液体を希釈する際に、当該液体に記憶させた波動を希釈後の液体に転写する方法としては、液体の容器にバイブレータで振動を与えたり、連続的に叩打して連続的な衝撃を与えたりして転写することが行なわれている。
【０００３】
【発明が解決しようとする課題】
この発明の液体に電波を付与する装置は、波動を転写された液体を希釈する際に、当該液体に記憶させた波動を希釈後の液体に効率的に転写することができる液体に電波を付与する装置を提供しようとするものである。
【０００４】
【課題を解決するための手段】
すなわちこの発明の液体に電波を付与する装置は、農業分野において使用され、発信装置が、電波を連続的または断続的に可聴周波数帯の音声信号で変調した電波を送れるようにした無線送信機と、無線送信機の出力部分に疑似負荷（ダミーロード）の発信部とを備え、この発信部を容器に入れた水またはミネラル含有水、溶液等に浸漬して音声信号で変調した電波を発信部から液体に付与することにより種々の希釈度の液体を作成するための装置であって、電波の周波数が、２０〜３５メガヘルツからなり、可聴周波数帯の音声信号が、打楽器の周期的な波長のものからなることを特徴とするものである。
【０００５】
上記したように、この発明の液体に電波を付与する装置は、上記発信器から送り出される周波数が、約２０〜３５メガヘルツからなることを特徴とするものである。
【０００６】
上記したように、この発明の液体に電波を付与する装置は、上記可聴周波数帯の音声信号が、打楽器の周期的な波長のものからなることを特徴とするものである。
【０００７】
この発明の液体に電波を付与する装置において上記活性水は、製造装置にミネラル成分を含有する鉱物を使用し、ミネラル成分を溶出させている。このような鉱物の例としては天然ゼオライトを始め、蛭石、麦飯石、その他の鉱物が挙げられる。もちろん、どのようなミネラル成分を溶出させるかどうかは、上記の鉱物から選択するばかりでなく、上記複数の鉱物を適宜配合することによっても決定することができる。なお、上記活性水と同様の成分を含む天然水も通過する地層によっては当然存在するが、そのような水の場合にはもちろん上記液体に電波を付与する装置にかける必要がない。
【０００８】
また上記液体に電波を付与する装置としては、上述のようにミネラル成分を溶出させるだけでなく、機能性セラミックスや、有用微生物を吸着したセラミックス等を用いて濾過するようにすることができ、こうすることによって、非常に有用な活性水を得ることができる。
【０００９】
次に、この発明の液体に電波を付与する装置は、発信装置が、電波を連続的または断続的に可聴周波数帯の音声信号で変調した電波を送れるようにした無線機と、無線機の出力部分に疑似負荷（ダミーロード）の発信部とを備え、この発信部を容器に入れた液体に浸漬して音声信号で変調した電波を液体に付与するようにしたことを特徴とするものである。
【００１０】
そして上記発信装置が、一定の周波数の電波を発生する無線機と、無線機の出力部分に疑似負荷（ダミーロード）の発信部とを備えたことをも特徴としている。そしてこの発信部を容器内に投入して所定の周波数の電波を発信し、水または活性水、溶液等に所定の信号を印加するのである。上記疑似負荷（ダミーロード）の発信部によれば、液体中に浸漬して音声信号で変調した電波を送り出すと、液体中から電波が漏れ出すことがない。
【００１１】
この発明の液体に電波を付与する装置は、上記発信器から送り出される周波数が、約２０〜３５メガヘルツからなることを特徴とするものである。２０メガヘルツ以下の場合および３５メガヘルツ以上の場合には、いずれも液体の波動の転写効率が低く、また転写に要する時間がかかりすぎて実用的ではなかった。
【００１２】
この発明の液体に電波を付与する装置は、上記可聴周波数帯の音声信号が、打楽器の周期的な波長のものからなることを特徴としている。すなわち、約２０〜３５メガヘルツの電波を連続的または断続的に可聴周波数帯の音声信号で変調しているのである。これは、無線機のマイクロフォン等の音声入力部に一定の周波数の音波信号を発生するテープレコーダ等の音源を接続して行なうことができる。そして、発信部から上記音声信号によって変調した電波として発信することが望ましい。この音声信号は複雑な波形を有しており、電波による単なる波長の付与のみならず、水または活性水、溶液等を所定の間隔で刺激することができ、液体の有する波動の転写を効率的に行なったり、液体の性状をも変化させることが可能である。
【００１３】
なおこの発明の液体に電波を付与する装置は、上記音声信号が、打楽器の周期的な波長のものからなることをも可能としている。本発明者の実験によれば、種々の楽器や音声を試みたところ、打楽器の律動的な音波が、液体の波動の転写や液体の性状変化に最適であることが判明した。もちろん、被転写物の種類等によって、上記打楽器の律動的な音楽等からなる音波の音量等を適宜調整すれば、好結果が得られる。
【００１４】
上記において、電波や音声信号による刺激や振動の印加とともに、あるいは電波や音声信号による刺激や振動の印加の間に水または活性水、溶液等を撹拌することが望ましい。この撹拌は、液体の波動の転写や液体の性状の変化をより効率的に行なうためにも有効である。
【００１５】
この発明によれば、非常にバランスのよいアルカリ活性力やイオン還元力を備えた水または活性水、溶液等を用い、効率的に波動を転写しつつ液体を薄めることができるばかりでなく、波動を転写した液体の有する機能を非常に優れたものとすることができる液体に電波を付与する装置を提供することが可能となった。
【００１６】
【発明の実施の形態】
以下この発明の液体に電波を付与する装置の実施の形態を、図面に基いてさらに具体的に説明する。なお、この発明の液体に電波を付与する装置を、液体として水または活性水、溶液等に適用した場合を例にとって説明する。
【００１７】
図１は液体に電波を付与する装置の１例を示す断面図、図２はこの発明の液体に電波を付与する装置の１実施例を示す概略斜視図である。
【００１８】
図１において１は、原料水を順次濾過させる通路を備えた液体に電波を付与する装置であって容器状をなし、ミネラル成分を溶出する素材等の濾過材３を保持した通路２を有している。４は容器状の液体に電波を付与する装置１の内部を分割する仕切りであり、濾過材３の通路２を長く採るために形成されている。なお、上記容器状の液体に電波を付与する装置１および仕切り４はそれぞれステンレス等で形成することが望ましい。５は容器状の液体に電波を付与する装置１の上部に設けた給液口、６は容器状の液体に電波を付与する装置１の下部に設けた排液口である。
【００１９】
そして上記液体に電波を付与する装置１は、上記ミネラル成分を溶出する素材が、ミネラル成分を含有する鉱物からなるものである。その例としては天然ゼオライトを始め、蛭石、麦飯石、その他の鉱物が挙げられる。もちろん、どのようなミネラル成分を溶出させるかどうかは、上記の鉱物から選択するばかりでなく、上記複数の鉱物を適宜配合することによっても決定することができる。
【００２０】
また上記液体に電波を付与する装置１としては、上述のようにミネラル成分を溶出させるだけでなく、機能性セラミックスや、有用微生物を吸着したセラミックス等を用いて濾過するようにすることができ、こうすることによって、非常に有用な水または活性水等を得ることができる。
【００２１】
無論、上記活性水と同様の成分を含む天然水も通過する地層によっては当然存在するが、そのような水の場合にはもちろん上記液体に電波を付与する装置にかける必要がない。
【００２２】
図２の液体に電波を付与する装置１１において、１２は電波の発信装置であり、無線機等の本体を利用することができる。そしてこの発信装置１２の発生する周波数は、約２０〜３５メガヘルツとすることが望ましい。発信装置１２にはコード１６を介して発信部１５が接続されている。この発信部１５は、アンプ等によって電波信号を増幅させることができるようになっており、容器２１内に収納した水または活性水、溶液等中に投入して、所定の電波および後述の音声信号を印加することができるようになっている。１７はコイルである。
【００２３】
上記発信装置１２の周波数は、約２０〜３５メガヘルツであることが望ましい。実験によれば、２０メガヘルツ以下の場合および３５メガヘルツ以上の場合には、いずれも液体の波動の転写効率が低く、また転写に要する時間がかかりすぎて実用的ではなかった。
【００２４】
上記発信部１５の回線には、テープレコーダ２０（発信装置１２に内蔵）の回線が接続されている。そして例えば打楽器の律動的な音楽が記録されているテープを上記テープレコーダ２０にかけることにより、発信部１５から打楽器の律動的な音楽等からなる音波が水または活性水、溶液等の液体に印加される。実験によれば、打楽器の律動的な音楽が液体の波動の転写や液体の性状の変化に好適であることが判明した。もちろん、被転写物の電波の吸収度合い等によって制御盤１３のボリューム１４を目盛の上限または下限を超えない範囲で操作し、上記打楽器の律動的な音楽等からなる音波の音量等を適宜調整することにより、被転写物の種類に応じて液体の波動の転写速度や転写効率を最適のものとすることができる。
【００２５】
その際に電波や音波とともに、あるいは電波や音波が印加される時間の間に水または活性水、溶液等や液体を撹拌する。この撹拌は、容器２１にファンや給液バルブを設置し、ファンの駆動や給液バルブを開放して水または活性水、溶液等や液体を循環させることにより行なうことができる。
【００２６】
【実施例】
図１の原料水を順次濾過させる通路を備えた液体に電波を付与する装置１を用い、ミネラル成分を溶出する素材、セラミックス素材等の濾過材３等を充填した通路２に、原料水を通して濾過した。
【００２７】
得た水または活性水、溶液等は、通常の水と例えば１：３の比率で薄めて植物に散布することにより、植物の発芽や開花を均一に行なわせることができ、桃やぶどうにおいては収穫時の色付きにおいて非常に良好な結果を得ることができた。また殺菌剤や殺虫剤を薄めて使用する場合においても、通常の希釈度よりも前者の場合においては約３倍、後者の場合においては１．５倍から５０倍の希釈度で使用することができ、従来と同一の効果を得ることができる。
【００２８】
上記水または活性水、溶液等を用い、液体に電波を付与する装置により約２５メガヘルツの周波数の電波へ一定の間隔で打楽器の音声信号を付加して変調し、変調された電波を水または活性水、溶液等に約５分間印加した。その後被転写物を水または活性水、溶液等中に投入して撹拌し、再度液体に電波を付与する装置により約２５メガヘルツの周波数の電波へ一定の間隔で打楽器の音声信号を付加して変調し、変調された電波を水または活性水、溶液等に約５分間印加した。これを数回繰り返して所定の希釈度の液体を得た。その際の水または活性水、溶液等と被転写物との比率は９：１が望ましく、これを農薬などの薬品類の種類等に応じた倍率に薄めて散布水を得ることにより、植物に散布して植物の発芽や開花を均一に行なわせることができ、桃やぶどうにおいては収穫時の色付きにおいて非常に良好な結果を得ることができた。また殺菌剤や殺虫剤を薄めて使用する場合においても、通常の希釈度よりも前者の場合においては約３倍、後者の場合においては１．５倍から５０倍の希釈度で使用することができ、従来と同一の効果を得ることができる。
【００２９】
【発明の効果】
この発明によれば、非常にバランスのよいアルカリ活性力やイオン還元力を備えた水または活性水、溶液等を用い、効率的に液体の波動を転写するばかりでなく、転写した液体の有する機能を非常に優れたものとすることができる液体に電波を付与する装置を提供することが可能となった。
【図面の簡単な説明】
【図１】液体に電波を付与する装置の１例を示す断面図である。
【図２】この発明の液体に電波を付与する装置の１実施例を示す概略斜視図である。
【符号の説明】
１ 液体に電波を付与する装置
２ 第１の通路
３ 濾過材
４ 仕切り
５ 給液口
６ 排液口
１１ 液体に電波を付与する装置
１２ 発信器
１３ 制御盤
１４ ボリューム
１５ 発信部
１６ コード
１７ コイル
２０ テープレコーダ
２１ 容器
【図１】
0005069823.tif 000002
【図２】
0005069823.tif 000003